(57)【要約】      （修正有）【課題】ネジ軸に対して調整ナット位置を変える事で伸縮自在に高さの調整が出来、又、盤木等も使用せずに落下の災害もなく確実にポストの両端で踏ん張ることで、建造中のブロック等の倒れを防止することが出来る有用なポストの高さ調整装置を提供する。【解決の手段】ポスト５先端に入れ込むネジ軸１と高さ位置を決める高さ調整ナット４と荷重を受ける受面金具２と、該受面金具２の受面が支持軸を支点にブロック等の形に合わせられる支持軸３とを備える。【選択図】図３
0003170028.tif 000002
【実用新案登録請求の範囲】
【請求項１】
両端で荷重をサポートするポストと、該ポスト先端に入れ込むネジ軸と、高さ位置を決める高さ調整ナットと、直接荷重を受ける受面金具と、該受面金具の受面が支持軸を支点にブロック等の形に合わせられる前記支持軸とから構成されていることを特徴とする高さ調整装置。
【考案の詳細な説明】
【技術分野】
【０００１】  本発明は、建造中のブロック等の倒れ止めに使用するポスト設置に関し、ポストの両端を確実に踏ん張ることが出来、盤木等の落下もなく安全な作業が出来、しかも作業効率も良くなる有用なポストの高さ調整装置に関するものである。
【背景技術】
【０００２】  従来、建造中のブロック等の倒れ止めに使用するポスト設置にあっては、踏ん張るポスト間は決められていて、その調整に盤木等を入れて行う方法で、確実に踏ん張ることが難しく、盤木等が落下して災害の要因となり作業効率が悪く大きな災害を招くことがあった。
【考案の概要】
【考案が解決しようとする課題】
【０００３】  しかしながら、上記の従来の建造中のブロック等の倒れ止め作業においては、その調整に盤木等を入れて行う方法で、その隙間に合った盤木等を入れ込まなければ確実に踏ん張ることが出来ず、盤木等が落下し災害の要因となり又、その作業は難しく作業効率が悪くなるなどの問題を有する。そこで簡単に高さ調整が出来、確実に踏ん張り盤木等の落下もなく、安全な作業が出来るポストの高さ調整装置が望まれていた。【０００４】  この考案は、上記のような従来の問題点及び課題に鑑み、その課題を解決すべく創案されたものであって、その目的とするところは建造中のブロック等の倒れ止めとして設置する際、ネジ軸に対して調整ナット位置を変える事で伸縮自在に高さの調整が出来る。又、盤木等も使用せずに落下の災害もなく確実にポストの両端で踏ん張ることで、建造中のブロック等の倒れを防止することが出来る有用なポストの高さ調整装置を提供することにある。
【課題を解決するための手段】
【０００５】    以上の目的を達成するために、この考案は両端で荷重をサポートするポストと、該ポスト先端に入れ込むネジ軸と、高さ位置を決める高さ調整ナットと、直接荷重を受ける受面金具と、該受面金具の受面支持軸を支点にブロック等の形に合わせられる前記支持軸を少なくとも装備した手段よりなるものである。
【考案の効果】
【０００６】  以上の記載よりこの考案に係るポストの高さ調整装置によれば、建造中のブロック等の倒れ止めとして設置する際、ネジ軸に対して調整ナット位置を変える事で伸縮自在に高さの調整が出来、確実にポストの両端で踏ん張ることで建造中のブロック等の倒れを防止することが出来、安全な作業が出来る。
【図面の簡単な説明】
【図１】この考案の実施の形態を示すポストの高さ調整装置の平面図である。
【図２】この考案の実施の形態を示すポストの高さ調整装置の正面図である。
【図３】この考案の実施の形態を示すポストの高さ調整装置の側面図である。
【図４】この考案の実施の形態を示すポストの高さ調整装置の断面図である。
【考案を実施するための形態】
【０００７】  以下、図面に記載の発明の実施の形態に基づいて、この発明をより具体的に説明する。
【実施例】ここで、図１はポストの高さ調整装置の平面図、図２はポストの高さ調整装置の正面図、図３はポストの高さ調整装置の側面図である。図４はポストの高さ調整装置の断面図である。【０００８】  ポストの高さ調整装置は建造中のブロック等の倒れ止めとして設置する際、ネジ軸に対して調整ナット位置を変える事で伸縮自在に高さの調整が出来、確実にポストの両端で踏ん張ることで建造中のブロック等の倒れを防止し、安全な作業が出来るのである。両端で荷重をサポートするポスト（５）と、該ポスト（５）先端に入れ込むネジ軸（１）と、高さ位置を決める高さ調整ナット（４）と、直接荷重を受ける受面金具（２）と、該受面金具（２）の受面が支持軸を支点にブロック等の形に合わせられる前記支持軸（３）が装着されるものなどから主に構成されるポストの高さ調整装置について説明する。【０００９】  図１、図２、図３、図４においてネジ軸（１）は受面金具（２）と連結される様に支持軸（３）が挿入される穴加工が先端に施され、受面金具（２）に入れ込まれるように加工がされている。又、名称の通り円柱形部々には台形のオスネジ加工が施され高さ調整ナット（４）により高さ調整が行われる。受面金具（２）に入れ込まれる部々と台形のネジ加工が施された間にはネジ軸（１）の回転をコントロールするために丸棒が溶接されている。又、その丸棒と同じレベルに穴加工が施されている。【００１０】  受面金具（２）は直接ブロック等の荷重を受ける部々であり、その受面は円形の丸いプレートからなりネジ軸（１）と連結される部々はネジ軸（１）が入れ込まれる様に両側に固着されたプレートからなり、支持軸（３）が挿入される穴加工が両側共に加工された構成からなる。【００１１】  支持軸（３）は円柱の丸鋼からなり両側に穴加工が施されている。支持軸（３）はネジ軸（１）と受面金具（２）が連結されるピンとなり、受面金具（２）の両側に突き出した状態に平座金（６）を入れ、割ピン（７）が差し込まれ支持軸（３）が抜けない様に組込まれている。【００１２】  高さ調整ナット（４）はネジ軸（１）に合った台形のメスネジ加工が施され、ポストの高さを決める位置にセットし建造中のブロック等の倒れてくる荷重を確実に踏ん張ることが出来る。その外周には回転をコントロールするために丸棒が溶接されている。又、その丸捧と同じレベルに穴加工が施されている。【００１３】  ポスト（５）は建造中のブロック等の倒れ止めのサポート部々の大半をなし、ポストの高さ調整装置を取付ける側は、円形の丸い穴加工が施されているプレートがポスト先端に固着されている。他側はその状況により対応を行うこととする。【００１４】  なお、この考案は上記考案の実施の形態に限定されるものではなく、この考案の精神を逸脱しない範囲で種々の改変をなし得ることは勿論である。又、この発明における上記考案の実施するための形態ではネジ軸を入れ込むポスト先端は丸穴加工であったが高さの位置を決める様にメスネジ加工を行うことも出来る。又、その時の高さ調整ナットはロックナットとして使う。
【産業上の利用可能性】
【００１５】  ポストの高さ調整装置は、建造中のブロック等の倒れ止めとして設置する際、サポートする間が決められていても両側で建造中のブロック等の倒れてくる荷重を確実に踏ん張りサポートすることが出来、しかも調整盤木等の落下もなく安全な作業が出来る。さらに短時間での設置が出来、作業効率も良くなる。
【符号の説明】１          ネジ軸
２          受面金具
３          支持軸
４          高さ調整ナット
５          ポスト
６          平座金
７          割ピン
【図１】
0003170028.tif 000003
【図２】
0003170028.tif 000004
【図３】
0003170028.tif 000005
【図４】
0003170028.tif 000006